(57)【要約】      （修正有）【課題】刺又によって捕らえた対象（となる暴漢）に対して、対象の人体の急所であるみぞおちを押圧し、対象の力を弱体化させ、使用者と対象との力差を埋める、あるいは使用者優位の状況を作り出すことのできる突起物を備えた新規の刺又を提供する。【解決手段】対人捕獲用刺又は、筒状連結具１と、前記筒状連結具１の一端部に対象を取り押さえるためのU字状二又部２を設け、他端部に長柄３を差込固定する。また、前記筒状連結具１の前記二又部２と直交する向きに一対の急所押圧用突起物４を設ける。このような構造にすることにより、対象を二又部２で捕えた際に、急所押圧用突起物４が対象のみぞおちを押圧し、対象を弱体化させることができる。【選択図】図１
0003116328.tif 000002
【実用新案登録請求の範囲】
【請求項１】
長柄の先端に対人捕獲用の二又部を設けた刺又であって、
前記長柄と前記二又部との接続部に、二又部と直交する向きに急所押圧用突起物を設けてなることを特徴とする対人捕獲用刺又。
【請求項２】
上記急所押圧用突起物は、上記長柄と上記二又部との接続部に、二又部と直交する向きに一対設けられることを特徴とする請求項１に記載の対人捕獲用刺又。
【請求項３】
上記急所押圧用突起物は、上記長柄先端方向に向かって弧状に形成されていることを特徴とする請求項１に記載の対人捕獲用刺又。
【請求項４】
上記急所押圧用突起物は、突起物先端が人体のみぞおち位置にくるようにしたことを特徴とする請求項１に記載の対人捕獲用刺又。
【請求項５】
先端に対人捕獲用の二又部を設け、
さらに前記二又部と直交する向きに急所押圧用突起物を設けた筒状連結具であって、
前記筒状連結具に長柄を差し込み固定することで刺又としたことを特徴とする対人捕獲用刺又。
【考案の詳細な説明】
【技術分野】
【０００１】
本考案は、侵入者などの暴漢を捕獲する際に、突起物によって人体のみぞおちを押圧して侵入者を弱体化することができる刺又に関する。
【背景技術】
【０００２】
従来の刺又は、長柄先端にＵ字状の取押え部を設けてあり、使用者が長柄を対象（となる暴漢）に突き出し、前記Ｕ字状内に対象を捕え、壁などに対象を押さえつける形で取り押さえていた。また、最近では、前記Ｕ字状の取押え部が開閉機能を有し、対象が取押え部から逃亡することができないようにしたもの（特開２００４−３７１５号公報、特許文献１参照）、あるいは、長柄の持ち手部に長柄との直交方向に複数箇所の突起を設け、使用者がさらに長柄を力強く扱えるようにしたもの（実用新案登録第３０８３２２７号公報、特許文献２参照）がある。
【特許文献１】特開２００４−３７１５号公報
【特許文献２】実用新案登録第３０８３２２７号広報
【考案の開示】
【考案が解決しようとする課題】
【０００３】
上記特許文献１（特開２００４−３７１５号公報）及び特許文献２（実用新案登録大３０８３２２７号公報）は、対象を取り押さえる際に、刺又によって対象を捕獲し身動きを封じる、あるいは刺又をより効果的に扱うようにして対象を捕獲しやすくするといった作用効果であり、使用者に比べて対象が力が強い場合、その腕力等で、刺又からの逃亡や破壊、使用者への危害等が考えられる。すなわち、使用者と対象との力関係によっては、安全にかつ確実に捕獲することができないといった問題があった。
【０００４】
そこで、本考案では、刺又によって捕らえた対象に対して、対象の人体の急所であるみぞおちを押圧し、対象の力を弱体化させ、使用者と対象との力差を埋めるあるいは使用者優位の状況を作り出すことのできる突起物を備えた新規の刺又を提供することである。
【課題を解決するための手段】
【０００５】
上述した課題を解決するために、本考案では、長柄の先端に対人捕獲用の二又部を設けた刺又であって、前記長柄と前記二又部との接続部に、二又部と直交する向きに急所押圧用突起物を設けてなることを特徴としている（請求項１）。また、上記急所押圧用突起物は、上記長柄と上記二又部との接続部に、二又部と直交する向きに一対設けられることを特徴としている（請求項２）。さらに、上記急所押圧用突起物は、上記長柄先端方向に向かって弧状に形成されていることを特徴としている（請求項３）。また、上記急所押圧用突起物は、突起物先端が人体のみぞおち位置にくるようにしたことを特徴としている（請求項４）。
【０００６】
先端に対人捕獲用の二又部を設け、さらに前記二又部と直交する向きに急所押圧用突起物を設けた筒状連結具であって、前記筒状連結具に長柄を差し込み固定することで刺又としたことを特徴としている（請求項５）。
【考案の効果】
【０００７】
長柄と長柄の先端に設けられた対象を取り押さえるためのU字状二又部との接続部に突起物を設けることで、対象の人体の急所であるみぞおちを押圧し、対象の弱体化ができる。また、突起物を一対設けることで、長柄を突き上げる時にも突き下ろす時にも突起物がみぞおちを押圧することができる。これにより、対象が弱体化して使用者と対象との力差が埋まる、あるいは使用者優位の状況になることでより安全にかつ確実に対象を取り押さえることができる。
【考案を実施するための最良の形態】
【０００８】
図１（a），（b）は、本考案に係る対人捕獲用刺又の実施例の上面図と側面図である。図示した対人捕獲用刺又は、筒状連結具１と、前記筒状連結具１の一端部に対象を取り押さえるためのU字状二又部２を設け、他端部に長柄３を差し込み固定する。また、前記筒状連結具１の前記二又部２と直交する向きに一対の急所押圧用突起物４を設ける。このような構造にすることにより、対象を二又部２で捕えた際に、急所押圧用突起物４が対象のみぞおちを押圧し、対象を弱体化させることができる。なお、筒状連結具１の材質は金属、機能性樹脂などが望ましい。
【０００９】
図２（a），（b）は、図１に示す筒状連結具と長柄の連結前の上面および側面の断面図である。図示した筒状連結具１は、一端部に対象を取り押さえるためのU字状二又部２を設け、前記二又部２と直交する向きに一対の急所押圧用突起物４を設ける。また、前記筒状連結具１の他端部側の側面に長柄固定孔５を設け、長柄３の一端部にも固定用貫通孔６を設ける。筒状連結具１に長柄３を差し込み固定する際には、割りピン７を用いる。なお、割りピンに代えて、ボルトや木ネジでも良い。
【００１０】
図３は（a），（b）は、図２に示す筒状連結具と長柄の連結後の上面および側面の断面図である。図示する筒状連結具１は、端部より長柄３を差し込んだ際に、筒状連結具１の長柄固定孔５と長柄３の固定用貫通孔６とを一致させ、割りピン７を長柄固定孔５より固定用貫通孔６に挿通し、筒状連結具１に長柄３を固定させる。
【産業上の利用可能性】
【００１１】
本考案は、対人特化型刺又であるが、適当なサイズにすることで急所押圧用突起物によって動物を押圧することで、誘導や確保する際にも活用ことができる。
【図面の簡単な説明】
【００１２】
【図１】（a），（b）は、本考案に係る対人捕獲用刺又の実施例の上面図と側面図である。
【図２】（a），（b）は、図１に示す筒状連結具と長柄の連結前の上面および側面の断面図である。
【図３】（a），（b）は、図２に示す筒状連結具と長柄の連結後の上面および側面の断面図である。
【符号の説明】
【００１３】
１  筒状連結具
２  二又部
３  長柄
４  急所押圧用突起物
５  長柄固定孔
６  固定用貫通孔
７  割りピン
【図１】
0003116328.tif 000003
【図２】
0003116328.tif 000004
【図３】
0003116328.tif 000005